(57)【要約】【課題】プレゼンテーション時に発表者が視聴者に提示した資料の細部まで他会場の視聴者に伝達すること。【解決手段】本発明では、プレゼンテーション会場で発表者が視聴者に向けて行うプレゼンテーションを録画するためのプレゼンテーション録画装置において、プレゼンテーションを行う際に発表者が視聴者に提示する資料からなる資料データとプレゼンテーションを行っている発表者を撮影した映像からなる映像データとプレゼンテーションを行っている発表者が発した音声からなる音声データとをそれぞれ入力し、資料データと映像データと音声データとを合成して電子通信回線網を介して配信可能なファイル形式の合成ファイルを作成し、合成ファイルを記憶媒体に記憶することにした。【選択図】図２
2010193440.tif 000002
【特許請求の範囲】
【請求項１】
プレゼンテーション会場において発表者が視聴者に向けて行うプレゼンテーションを録画するためのプレゼンテーション録画装置であって、
プレゼンテーションを行う際に発表者が視聴者に提示する資料からなる資料データとプレゼンテーションを行っている発表者を撮影した映像からなる映像データとプレゼンテーションを行っている発表者が発した音声からなる音声データとをそれぞれ入力し、資料データと映像データと音声データとを合成して電子通信回線網を介して配信可能なファイル形式の合成ファイルを作成し、合成ファイルを記憶媒体に記憶することを特徴とするプレゼンテーション録画装置。
【請求項２】
前記合成ファイルは、資料データを表示する資料データ表示領域と映像データを表示する映像データ表示領域とを有するとともに、予め生成した挿入データを表示する挿入データ表示領域を有することを特徴とする請求項１に記載のプレゼンテーション録画装置。
【請求項３】
前記合成ファイルは、資料データ表示領域、映像データ表示領域、挿入データ表示領域の位置やサイズや表示有無を変更可能としたことを特徴とする請求項２に記載のプレゼンテーション録画装置。
【請求項４】
前記合成ファイルを記憶媒体に記憶するとともにプレゼンテーション会場の外部に設置された端末装置に電子通信回線網を介して直接同時配信することを特徴とする請求項１〜請求項３のいずれかに記載のプレゼンテーション録画装置。
【請求項５】
前記合成ファイルを記憶媒体に記憶するとともに配信サーバに電子通信回線網を介して配信し、配信サーバからプレゼンテーション会場の外部に設置された端末装置に電子通信回線網を介して配信することを特徴とする請求項１〜請求項３のいずれかに記載のプレゼンテーション録画装置。
【請求項６】
前記音声データに対する資料データ又は映像データの遅延時間を検出し、検出した遅延時間に基づいて音声データを遅延させて合成ファイルに合成することを特徴とする請求項１〜請求項５のいずれかに記載のプレゼンテーション録画装置。
【請求項７】
前記音声データに対する資料データの遅延時間と、音声データに対する映像データの遅延時間を検出し、検出した遅延時間に基づいて資料データ又は音声データを遅延させて合成ファイルに合成することを特徴とする請求項６に記載のプレゼンテーション録画装置。
【発明の詳細な説明】
【技術分野】
【０００１】
本発明は、プレゼンテーション会場において発表者が視聴者に向けて行うプレゼンテーションを録画するためのプレゼンテーション録画装置に関するものである。
【背景技術】
【０００２】
従来より学内での講義や学会での講演や商品説明会での発表など様々なプレゼンテーションが行われている。そして、より多くの視聴者にプレゼンテーションを視聴してもらえるようにするために、プレゼンテーション会場において発表者が視聴者に向けて行うプレゼンテーションを撮影装置を用いて記録媒体に録画し、録画した映像をプレゼンテーション会場の外部に設置した他会場で視聴できるようにもしている。
【０００３】
このように、プレゼンテーション会場でのプレゼンテーションを単に撮影装置で録画した映像を他会場で視聴するようにした場合には、プレゼンテーション会場での雰囲気は伝わるものの、プレゼンテーション会場でプロジェクターやモニターなどを利用して発表者が視聴者に提示した資料については細部まで他会場の視聴者に伝えることが困難である。
【０００４】
そのため、従来においては、録画したプレゼンテーション会場の映像に後から資料の画像を嵌め込み合成して他会場への配信映像を作成したり、必要に応じてプレゼンテーション会場の映像と資料の画像とを切替えて他会場への配信映像を作成するなどしていた（たとえば、特許文献１参照。）。
【先行技術文献】
【特許文献】
【０００５】
【特許文献１】特開２０００−２５０３９２号公報
【発明の概要】
【発明が解決しようとする課題】
【０００６】
ところが、上記従来のように、録画したプレゼンテーション会場の映像に後から資料の画像を嵌め込み合成して他会場への配信映像を作成する場合には、配信映像の作成に多大な労力や時間や費用を要するとともに、プレゼンテーション会場と同時に他会場で視聴することができないといった問題点を有している。
【０００７】
また、必要に応じてプレゼンテーション会場の映像と資料の画像とを切替えて他会場への配信映像を作成する場合には、煩雑な切替え作業が必要となり配信映像の作成に多大な労力を要するとともに、プレゼンテーション会場とは異なって頻繁に画面が切替わる映像を他会場で視聴することになってしまいプレゼンテーションの効果が低減してしまうといった問題点を有している。
【課題を解決するための手段】
【０００８】
そこで、請求項１に係る本発明では、プレゼンテーション会場で発表者が視聴者に向けて行うプレゼンテーションを録画するためのプレゼンテーション録画装置において、プレゼンテーションを行う際に発表者が視聴者に提示する資料からなる資料データとプレゼンテーションを行っている発表者を撮影した映像からなる映像データとプレゼンテーションを行っている発表者が発した音声からなる音声データとをそれぞれ入力し、資料データと映像データと音声データとを合成して電子通信回線網を介して配信可能なファイル形式の合成ファイルを作成し、合成ファイルを記憶媒体に記憶することにした。
【０００９】
また、請求項２に係る本発明では、前記請求項１に係る本発明において、前記合成ファイルは、資料データを表示する資料データ表示領域と映像データを表示する映像データ表示領域とを有するとともに、予め生成した挿入データを表示する挿入データ表示領域を有することにした。
【００１０】
また、請求項３に係る本発明では、前記請求項２に係る本発明において、前記合成ファイルは、資料データ表示領域、映像データ表示領域、挿入データ表示領域の位置やサイズや表示有無を変更可能とすることにした。
【００１１】
また、請求項４に係る本発明では、前記請求項１〜請求項３のいずれかに係る本発明において、前記合成ファイルを記憶媒体に記憶するとともにプレゼンテーション会場の外部に設置された端末装置に電子通信回線網を介して直接同時配信することにした。
【００１２】
また、請求項５に係る本発明では、前記請求項１〜請求項３のいずれかに係る本発明において、前記合成ファイルを記憶媒体に記憶するとともに配信サーバに電子通信回線網を介して配信し、配信サーバからプレゼンテーション会場の外部に設置された端末装置に電子通信回線網を介して配信することにした。
【００１３】
また、請求項６に係る本発明では、前記請求項１〜請求項５のいずれかに係る本発明において、前記音声データに対する資料データ又は映像データの遅延時間を検出し、検出した遅延時間に基づいて音声データを遅延させて合成ファイルに合成することにした。
【００１４】
また、請求項７に係る本発明では、前記請求項６に係る本発明において、前記音声データに対する資料データの遅延時間と、音声データに対する映像データの遅延時間を検出し、検出した遅延時間に基づいて資料データ又は音声データを遅延させて合成ファイルに合成することにした。
【発明の効果】
【００１５】
そして、本発明では、以下に記載する効果を奏する。
【００１６】
すなわち、本発明では、プレゼンテーション会場で発表者が視聴者に向けて行うプレゼンテーションを録画するためのプレゼンテーション録画装置において、プレゼンテーションを行う際に発表者が視聴者に提示する資料からなる資料データとプレゼンテーションを行っている発表者を撮影した映像からなる映像データとプレゼンテーションを行っている発表者が発した音声からなる音声データとをそれぞれ入力し、資料データと映像データと音声データとを合成して電子通信回線網を介して配信可能なファイル形式の合成ファイルを作成し、合成ファイルを記憶媒体に記憶することにしているために、プレゼンテーション時に発表者が視聴者に提示した資料の細部まで他会場の視聴者に伝達することができる合成ファイルをプレゼンテーション時に労力を要することなく容易に作成することができる。
【００１７】
特に、合成ファイルが資料データを表示する資料データ表示領域と映像データを表示する映像データ表示領域とを有するとともに、予め生成した挿入データを表示する挿入データ表示領域を有することにした場合には、タイトルや発表者の氏名などを挿入データとして表示することができ、プレゼンテーション効果を増大させることができる。
【００１８】
また、合成ファイルの資料データ表示領域、映像データ表示領域、挿入データ表示領域の位置やサイズや表示有無を変更可能とした場合には、視聴者に見易い表示とすることができ、プレゼンテーション効果をより一層増大させることができる。
【００１９】
また、合成ファイルを記憶媒体に記憶するとともにプレゼンテーション会場の外部に設置された端末装置に電子通信回線網を介して直接同時配信することにした場合には、プレゼンテーション会場と外部の他会場においてより多数の視聴者に同時にプレゼンテーションを行うことができる。
【００２０】
また、合成ファイルを記憶媒体に記憶するとともに配信サーバに電子通信回線網を介して配信し、配信サーバからプレゼンテーション会場の外部に設置された端末装置に電子通信回線網を介して配信することにした場合でも、プレゼンテーション会場と外部の他会場においてより多数の視聴者にプレゼンテーションを行うことができる。
【００２１】
また、音声データに対する資料データ又は映像データの遅延時間を検出し、検出した遅延時間に基づいて音声データを遅延させて合成ファイルに合成することにした場合には、視聴者が視る画像と視聴者が聴く音声とのずれをなくすことができるので、他会場の視聴者に対してプレゼンテーション会場で視聴するのと同様の感覚を与えることができ、他会場でのプレゼンテーション効果を増大させることができる。
【００２２】
また、音声データに対する資料データの遅延時間と、音声データに対する映像データの遅延時間を検出し、検出した遅延時間に基づいて資料データ又は音声データを遅延させて合成ファイルに合成することにした場合には、映像データを作成する機器と資料データを作成する機器との相違によるずれをなくすことができるので、他会場での視聴者に視易い印象を与えることができ、他会場でのプレゼンテーション効果をより一層増大させることができる。
【図面の簡単な説明】
【００２３】
【図１】本発明に係るプレゼンテーション録画装置のハードウェア構成を示す説明図。
【図２】本発明に係るプレゼンテーション録画装置での処理構成を示す説明図。
【図３】画面データの表示状態を示す説明図。
【図４】複数の画面データの表示パターンを示す説明図。
【発明を実施するための形態】
【００２４】
以下に、本発明に係るプレゼンテーション録画装置の具体的な構成について図面を参照しながら説明する。なお、本発明に係るプレゼンテーション録画装置は、プレゼンテーション会場において発表者が視聴者に向けて行うプレゼンテーションを録画する機能を有する装置であり、以下に説明する専用の装置でもよく、また、汎用のコンピュータで構成してもよい。
【００２５】
図１に示すように、プレゼンテーション録画装置（以下「録画装置１」という。）は、プレゼンテーションを行う際に発表者が視聴者に提示する資料からなる資料データを出力するコンピュータ２と、プレゼンテーションを行っている発表者を撮影した映像からなる映像データを出力する撮影装置３と、プレゼンテーションを行っている発表者が発した音声からなる音声データを出力する音声装置４とがそれぞれ接続されるとともに、インターネットに代表される電子通信回線網５を介してプレゼンテーション会場の外部に設置された端末装置６や配信サーバ７と接続されている。なお、端末装置６としては、コンピュータ、携帯端末、携帯電話機などの電子データの通信機能を有する各種機器を用いることができ、また、配信サーバ７としては、専用或いは汎用のコンピュータなどの電子データの通信機能を有する各種機器を用いることができる。
【００２６】
録画装置１は、コンピュータ２からの資料データを入力するためにコンピュータ２に接続した資料用入力部８と、撮影装置３からの映像データを入力するために撮影装置３に接続した映像用入力部９と、音声装置４からの音声データを入力するために音声装置４に接続した音声用入力部10とを有し、これらの各入力部8,9,10をＣＰＵなどから構成された制御部11に接続している。
【００２７】
また、録画装置１は、制御部11にキースイッチなどから構成された操作部12や記憶媒体などから構成された記憶部13や電子通信回線網５に接続するための配信部14を接続している。
【００２８】
そして、録画装置１は、制御部11で各入力部8,9,10や操作部12や記憶部13や配信部14を記憶媒体に格納されたプログラムに基づいて適宜制御することにより、コンピュータ２から入力した資料データと撮影装置３から入力した映像データと音声装置４から入力した音声データとから記憶部13で記憶したり配信部14から端末装置６や配信サーバ７に向けて配信する合成ファイルを作成するようにしている。
【００２９】
すなわち、図２に示すように、録画装置１では、まず、プレゼンテーション時に同時に、資料用入力部８を介してコンピュータ２からたとえばアナログＲＧＢ信号形式の資料データをデジタルＲＧＢ信号形式に変換して入力し、映像用入力部９を介して撮影装置３からたとえばＮＴＳＣ信号形式の映像データを資料データと同じデジタルＲＧＢ信号形式に変換して入力し、音声用入力部10を介して音声装置４からたとえばアナログ信号形式の音声データをＰＣＭ形式に変換して入力する。
【００３０】
次に、録画装置１では、必要に応じて資料データや映像データや音声データに対する遅延処理を行い、処理するタイミングを同期させる。なお、遅延処理は入力と同時に行ってもよく、また、入力後に行ってもよい。
【００３１】
たとえば、資料データや映像データの場合には、音声データの入力開始時を基準として音声データに対する資料データと映像データの遅延時間を検出し、検出したそれぞれの遅延時間の差に基づいてその差だけ資料データ又は映像データのいずれかを遅延させる遅延処理を行う。これにより、コンピュータ２と撮影装置３との機器の相違による資料データと映像データとの間の遅延（ずれ）を相殺することができる。
【００３２】
また、音声データの場合には、音声データの入力開始時を基準として音声データに対する資料データと映像データの遅延時間を検出し、検出したそれぞれの遅延時間のうちで長い遅延時間に基づいてその遅延時間と資料データや映像データの処理に要する処理時間（たとえば、後述する嵌め込み処理に要する処理時間）だけ音声データを遅延させる遅延処理を行う。これにより、比較的多量のデータ処理を行うコンピュータ２や撮影装置３と比較的少量のデータ処理を行う音声装置４との間で生じる資料データ又は映像データと音声データとの間の遅延（ずれ）を相殺することができる。
【００３３】
次に、録画装置１では、遅延処理後の資料データに映像データを一画面上に嵌め込んで合成した画面データを作成する嵌め込み処理を行う。なお、嵌め込み処理では、資料データと映像データとを一画面上に嵌め込んで合成した一つの画面データを形成する処理であればよく、資料データに映像データを嵌め込んだ画面構成としてもよく、映像データに資料データを嵌め込んだ画面構成としてもよく、それぞれの画面上のサイズを任意に変更できるようにしてもよく、さらには、他の機器や装置内部で予め生成したデータを挿入データとして生成し、その挿入データを一緒に嵌め込んだ画面構成としてもよい。
【００３４】
ここで、画面データは、図３に示すように、資料データを表示する資料データ表示領域と映像データを表示する映像データ表示領域とを有するとともに、制御部11及び操作部12或いは他の装置を用いて予め生成したプレゼンテーションのタイトルや目次や発表者の氏名や主催者の名称などからなる挿入データを表示する挿入データ表示領域をも有している。
【００３５】
この画面データは、図４に示すように、予め複数の表示パターンを用意しておき（記憶部13で記憶しておき）、いずれかの表示パターンを選択することによって、資料データ表示領域や映像データ表示領域や挿入データ表示領域のそれぞれの位置やサイズや表示の有無を変更をできるようにしている。
【００３６】
次に、録画装置１では、嵌め込み処理で生成した画面データと遅延処理後の音声データとをエンコードすることによって合成ファイルを作成する合成処理を行う。なお、合成処理は、画面データと音声データとを合成した一つの合成ファイルを形成する処理であればよく、たとえばＢＧＭなどの他の音声機器からの音声をも一緒に合成するようにしてもよい。
【００３７】
ここで、合成処理によって生成する合成ファイルは、たとえばＷＭＶ形式のファイルのように電子通信回線網５を介して端末装置６や配信サーバ７に向けて配信することが可能なファイル形式で生成するようにしている。
【００３８】
そして、録画装置１では、上記合成処理と同時に合成処理で生成した合成ファイルを記憶部13で記憶媒体に記憶（録画）する記憶処理を行う。なお、記憶処理では、録画装置１に内蔵されたハードディスクやメモリＩＣなどの記憶媒体に記憶してもよく、また、録画装置１に着脱可能に装着されたメモリカードや記憶ディスクなどの記憶媒体に記憶してもよい。
【００３９】
また、録画装置１では、上記合成処理や記憶処理と同時に電子通信回線網５を介して接続された端末装置６に向けて配信部14から合成ファイルを配信する同時配信処理を行う。録画装置１では、合成処理によって電子通信回線網５を介して配信可能なファイル形式で合成ファイルを生成しているため、プレゼンテーション時に記憶と同時に端末装置６への配信が行えるようになっている。
【００４０】
さらに、録画装置１では、上記合成処理や記憶処理と同時に電子通信回線網５を介して接続された配信サーバ７に向けて配信部14から合成ファイルを配信するサーバ配信処理を行う。ここでも、録画装置１では、合成処理によって電子通信回線網５を介して配信可能なファイル形式で合成ファイルを生成しているため、プレゼンテーション時に記憶と同時に配信サーバ７への配信が行えるようになっている。配信サーバ７では、録画装置１から配信された合成ファイルをプレゼンテーション会場の外部に設置された端末装置６に電子通信回線網５を介して配信する。
【００４１】
なお、端末装置６や配信サーバ７への配信は、プレゼンテーション時に同時に行う場合に限られず、遅れて行うようにしてもよく、また、端末装置６や配信サーバ７からの要求に基づいて配信するようにしてもよい。
【００４２】
以上に説明したように、上記録画装置１では、プレゼンテーションを行う際に発表者が視聴者に提示する資料からなる資料データとプレゼンテーションを行っている発表者を撮影した映像からなる映像データとプレゼンテーションを行っている発表者が発した音声からなる音声データとをそれぞれ入力し、資料データと映像データと音声データとを合成して電子通信回線網５を介して配信可能なファイル形式の合成ファイルを作成し、合成ファイルを記憶媒体に記憶するように構成している。
【００４３】
そのため、上記構成の録画装置１では、プレゼンテーション時に発表者が視聴者に提示した資料の細部まで他会場の視聴者に伝達することができる合成ファイルをプレゼンテーション時に労力を要することなく容易に作成することができる。
【００４４】
また、上記録画装置１では、合成ファイルを記憶媒体に記憶するとともにプレゼンテーション会場の外部に設置された端末装置６に電子通信回線網５を介して直接同時配信するように構成している。
【００４５】
そのため、上記構成の録画装置１では、プレゼンテーション会場と外部の他会場においてより多数の視聴者に同時にプレゼンテーションを行うことができる。
【００４６】
また、上記録画装置１では、合成ファイルを記憶媒体に記憶するとともに配信サーバ７に電子通信回線網５を介して配信し、配信サーバ７からプレゼンテーション会場の外部に設置された端末装置６に電子通信回線網５を介して配信するように構成している。
【００４７】
そのため、上記構成の録画装置１では、プレゼンテーション会場と外部の他会場においてより多数の視聴者にプレゼンテーションを行うことができる。
【００４８】
また、上記録画装置１では、音声データに対する資料データ又は映像データの遅延時間を検出し、検出した遅延時間に基づいて音声データを遅延させて合成ファイルに合成することにしているため視聴者が視る画像と視聴者が聴く音声とのずれをなくすことができるので、他会場の視聴者に対してプレゼンテーション会場で視聴するのと同様の感覚を与えることができ、他会場でのプレゼンテーション効果を増大させることができる。
【００４９】
また、上記録画装置１では、音声データに対する資料データの遅延時間と、音声データに対する映像データの遅延時間を検出し、検出した遅延時間に基づいて資料データ又は音声データを遅延させて合成ファイルに合成することにしているため、映像データを作成する機器と資料データを作成する機器との相違によるずれをなくすことができるので、他会場での視聴者に視易い印象を与えることができ、他会場でのプレゼンテーション効果をより一層増大させることができる。
【００５０】
特に、上記録画装置１では、画面データと音声データとを合成した合成ファイルが資料データを表示する資料データ表示領域と映像データを表示する映像データ表示領域とを有するとともに、予め生成した挿入データを表示する挿入データ表示領域を有しているために、タイトルや発表者の氏名などを挿入データとして表示することができ、プレゼンテーション効果を増大させることができる。
【００５１】
しかも、上記録画装置１では、画面データと音声データとを合成した合成ファイルの資料データ表示領域、映像データ表示領域、挿入データ表示領域の位置やサイズや表示有無を変更可能としているために、視聴者に見易い表示とすることができ、プレゼンテーション効果をより一層増大させることができる。
【符号の説明】
【００５２】
１  録画装置                            ２  コンピュータ
３  撮影装置                            ４  音声装置
５  電子通信回線網                      ６  端末装置
７  配信サーバ                          ８  資料用入力部
９  映像用入力部                        10  音声用入力部
11  制御部                              12  操作部
13  記憶部                              14  配信部
【図１】
2010193440.tif 000003
【図２】
2010193440.tif 000004
【図３】
2010193440.tif 000005
【図４】
2010193440.tif 000006